(57)【要約】【課題】鳥類の接近を阻止し、それにより営巣防止を図ることができる鳥類営巣防止装置を提供する。【解決手段】鳥類営巣防止装置１は、猛禽の鳴き声を蓄音した蓄音部と、鳥類の接近を検出する赤外線センサ２と、スピーカ９と、制御部１０と、蓄電池４と、を有し、前記制御部１０は、前記蓄電池４からの給電を受け、前記赤外線センサ２からの信号に応じて、前記蓄音部に蓄音された前記猛禽の鳴き声を、前記スピーカ９を介して再生する。【選択図】図４
0003221514.tif 000002
【実用新案登録請求の範囲】
【請求項１】
猛禽の鳴き声を蓄音した蓄音部と、鳥類の接近を検出するセンサと、スピーカと、制御部と、給電部と、を有し、
前記制御部は、前記給電部からの給電を受け、前記センサからの信号に応じて、前記蓄音部に蓄音された前記猛禽の鳴き声を、前記スピーカを介して再生する、
ことを特徴とする鳥類営巣防止装置。
【請求項２】
前記蓄音部と前記制御部は、筐体に収容されており、前記筐体は、複数の遮蔽板で隙間を開けて囲われている、
ことを特徴とする請求項１に記載の鳥類営巣防止装置。
【請求項３】
隣接する前記遮蔽板同士の間には、隙間が設けられている、
ことを特徴とする請求項２に記載の鳥類営巣防止装置。
【請求項４】
前記筐体は、２つのアングル部材を介して構造物に取り付けられている、
ことを特徴とする請求項２又は３に記載の鳥類営巣防止装置。
【請求項５】
前記センサを覆うドームが設けられ、前記ドームと前記筐体との間に通気路が形成されている、
ことを特徴とする請求項２〜４のいずれか１項に記載の鳥類営巣防止装置。
【請求項６】
前記ドーム及び前記センサは、前記筐体から突き出ている、
ことを特徴とする請求項５に記載の鳥類営巣防止装置。
【請求項７】
前記筐体は、外部に連通する通気口を設けている、
ことを特徴とする請求項２〜６のいずれか１項に記載の鳥類営巣防止装置。
【請求項８】
前記給電部は、太陽光パネル及び蓄電池を含む、
ことを特徴とする請求項１〜７のいずれか１項に記載の鳥類営巣防止装置。
【請求項９】
前記太陽光パネルは、パネル面を傾け可能である、
ことを特徴とする請求項８に記載の鳥類営巣防止装置。
【請求項１０】
前記蓄音部は、複数種類の猛禽の鳴き声を蓄音しており、前記制御部は、そのうち１種類の鳴き声を、予め決められたルールに従って選択し、前記スピーカを介して再生する、
ことを特徴とする請求項１〜９のいずれか１項に記載の鳥類営巣防止装置。
【考案の詳細な説明】
【技術分野】
【０００１】
本考案は、鳥類営巣防止装置に関する。
【背景技術】
【０００２】
２０年ほど前から都市部や近郊の配電線の電柱上に、カラスなどの鳥類が営巣を行っている。特に都市部における鳥類は、調達のしやすさからワイヤーハンガーや電線の切れ端などの導電性材料を用いて営巣を行うことが多い。ところが、導電性材料を用いて営巣を行うと、ショートや地絡などにより停電や機器を損傷させる原因となりうる。
【０００３】
また、電柱上に鳥類が営巣を行うと、電柱の周りに餌の残りや糞の散乱が発生し、衛生面から住民生活にも悪影響を及ぼしている。更に、雛の巣立ちの時期には、親鳥が狂暴になり、通過する人を襲うという被害も懸念される。
【０００４】
そこで従来は、電柱上における営巣の有無を巡視により点検し、発見した場合にはすぐに巣の撤去を行っている。しかしながら、鳥インフルエンザの影響などを考慮すると、巣を撤去する作業員は防疫対策用の服を着用しなくてはならず、また撤去した巣も直ちにビニール袋などに密封して、外部との接触を遮断しなくてはならないため、作業にかなりの手間がかかるという問題がある。
【０００５】
加えて、電柱が主要道路沿いにある場合、撤去作業のための道路使用を道路管理者に事前申請しなくてはならず、事務上の手間もかかる。また、道路事情によっては、撤去作業を深夜に行わなくてはならないため、作業費用も更に増大する。
【０００６】
これに対し特許文献１には、鉄塔の近傍にテグスを張設することにより営巣防止を図る装置が開示されている。また、特許文献１以外にも、風車、剣山、光り物など鳥類が忌避するものを配置して営巣防止を図る試みがある。
【先行技術文献】
【特許文献】
【０００７】
【特許文献１】特開平８−２９８７１４号公報
【考案の概要】
【考案が解決しようとする課題】
【０００８】
しかしながら、特にカラスは、テグス、風車、剣山、光り物などにすぐ慣れるという習性があり、そのためいずれの手段を採用しても営巣防止の効果が薄いという問題がある。
【０００９】
そこで本考案は、従来技術とは異なる視点から鳥類の接近を阻止し、それにより営巣防止を図ることができる鳥類営巣防止装置を提供することを目的とする。
【課題を解決するための手段】
【００１０】
本考案の営巣防止装置は、猛禽の鳴き声を蓄音した蓄音部と、鳥類の接近を検出するセンサと、スピーカと、制御部と、給電部と、を有し、
前記制御部は、前記給電部からの給電を受け、前記センサからの信号に応じて、前記蓄音部に蓄音された前記猛禽の鳴き声を、前記スピーカを介して再生する、ことを特徴とする。
【考案の効果】
【００１１】
本考案によれば、鳥類の接近を阻止し、それにより営巣防止を図ることができる鳥類営巣防止装置を提供することができる。
【図面の簡単な説明】
【００１２】
【図１】図１は、第１の実施形態にかかる鳥類営巣防止装置１の正面図である。
【図２】図２は、鳥類営巣防止装置１の上面図である。
【図３】図３は、鳥類営巣防止装置１の側面図である。
【図４】図４は、鳥類営巣防止装置１の内部構成を示す概略図である。
【図５】図５は、鳥類営巣防止装置の変形例にかかる図２と同様な上面図である。
【図６】図６は、第２の実施形態にかかる鳥類営巣防止装置１’の正面図である。
【考案を実施するための形態】
【００１３】
（第１の実施形態）
以下、本考案の実施形態を、図面に基づいて説明する。図１は、第１の実施形態にかかる鳥類営巣防止装置１の正面図であり、図２は、鳥類営巣防止装置１の上面図であり、図３は、鳥類営巣防止装置１の側面図であり、図４は、鳥類営巣防止装置１の内部構成を示す概略図である。なお、理解しやすいように、図１において前側遮蔽板が、また図３においては右側遮蔽板が取り外された状態で示されている。
【００１４】
なお、本明細書において、「猛禽」とは鷹、ワシ、ハヤブサ、ハゲワシ、コンドル、フクロウワシなど、哺乳動物や他の鳥を捕食する鳥をいう。また「鳥類」とは、カラス、ムクドリ、ハト、すずめなど、猛禽により捕食される鳥をいう。なお、以下の実施形態では、一例として猛禽を鷹、営巣を防止する鳥類をカラスとして説明する。
また、「蓄音」とは、アナログ、デジタルを問わず鳴き声などを保存することをいう。
【００１５】
図４において、鳥類営巣防止装置１は、赤外線センサ２と、給電部と、作動ランプ５と、スイッチ６と、ボリューム摘み７と、ＵＳＢなどのインタフェース部８と、スピーカ９と、これらを制御する制御部１０とを有する。給電部は、太陽光パネル３と蓄電池４とで構成される。
【００１６】
赤外線センサ２は、鳥類であるカラスＣの体から放射される赤外線を検出することにより、カラスＣの接近を検出する機能を有する。ただし、赤外線センサ以外のセンサを用いて、カラスＣの接近を検出してもよい。
【００１７】
太陽光パネル３は、太陽Ｓから放射された太陽光を受光して電力に変換する機能を有する。太陽光パネル３からの電力は、制御部１０を介して各部に供給され、また余剰電力は蓄電池４に出力されて充電される。太陽光が届かない夜間には、蓄電池４の電力で各部の動作を賄うことができる。蓄電池４はニッケル水素電池を用いると好ましい。
【００１８】
制御部１０は、猛禽、例えば鷹の鳴き声を収録しデータとして保存する記憶部（蓄音部）を内蔵している。鷹の鳴き声に加え、カラスの悲鳴や警戒声をデータとして記憶部に蓄積してもよい。
【００１９】
また、記憶部に複数種類の猛禽の鳴き声のデータを記憶することもできる。例えば、鳥類営巣防止装置１が近接して配置される場合、制御部１０は、近接した鳥類営巣防止装置１の間では異なる種類の鳴き声を選択してスピーカ９から再生してもよいし、ランダムに鳴き声を選択して再生してもよい。あるいは、記憶部１０に内蔵された時計により一定時間の計時を行った後、再生する鳴き声を異なるものに変更してもよい。このように予め決められたルールに従って猛禽の鳴き声を選択することにより、カラスが鳴き声に慣れることを防止して、長期間にわたって営巣防止効果を持続させることができる。更に記憶部を、制御部１０と別体のメモリとしてもよい。
【００２０】
スイッチ６は、オン操作によって制御部１０及び各部に給電を行い、鳥類営巣防止装置１の動作を実行させ、またオフ操作によって、鳥類営巣防止装置１の動作を停止させる機能を有する。
【００２１】
作動ランプ５は、スイッチ６のオン操作により赤外線センサ２が動作を開始したことに応じて点灯し、赤外線センサ２の動作停止から所定の時限Ｔｘ後に消灯する。なお、赤外線センサ２がカラスＣの接近を検出したときに、これを点滅で知らせるようにしてもよい。
【００２２】
ボリューム摘み７は、スピーカ９から再生される音声の大きさを調整する機能を有する。インタフェース部８は、外部のＰＣに接続して、例えば猛禽の鳴き声のデータを入れ替えたり、制御部１０のプログラムを書き換えたり、或いは鳥類営巣防止装置１の過去の動作履歴を読み出すなどのために使用できる。
【００２３】
本実施形態においては、制御部１０及び蓄電池４は、密閉された筐体１１内に収容されている。赤外線センサ２と太陽光パネル３は、筐体１１の上面を覆う上部遮蔽板１２上に設置されている。上部遮蔽板１２は、支持部１３を介して筐体１１の上面から離間して（隙間を開けて）、ねじ締結により筐体１１に取り付けられている。赤外線センサ２は、赤外光を透過可能な樹脂製のドーム１４により外側を覆われている。
【００２４】
また、スピーカ９は、図３に示すように筐体１１の上面であって上部遮蔽板１２の下方に、鳥類営巣防止装置１の上方を飛ぶカラスＣに対し音声がよく伝わるように、上方を向けて取り付けられている。ただし、スピーカ９の上面全体は、雨水対策として、音声を透過可能な防水フィルム９ａ及び耐候性シート９ｂにより二重に覆われている。また、上部遮蔽板１２におけるスピーカ９に対向する位置には、図２に示すように多数の貫通小穴１２ａを形成してスピーカ９から発生される音声を遮らないようにしている。
【００２５】
図１に示すように、作動ランプ５と、スイッチ６と、ボリューム摘み７と、インタフェース部８は、筐体１１の正面に配置されている。
【００２６】
図２，３に示すように、前側遮蔽板１５が、支持部１６を介して筐体１１の正面から離間して（隙間を開けて）、ねじ締結により筐体１１に取り付けられている。
【００２７】
図１，２に示すように、左側遮蔽板１７が、支持部１８を介して筐体１１の左側面から離間して（隙間を開けて）、ねじ締結により筐体１１に取り付けられている。
【００２８】
また右側遮蔽板１９が、支持部２０を介して筐体１１の右側面から離間して（隙間を開けて）、ねじ締結により筐体１１に取り付けられている。
【００２９】
筐体１１の背面には、一対のアルミ製のアングル部材２１，２２が取り付けられている。共通する形状のアングル部材２１，２２は、底板２１ａ、２２ａを、垂直板２１ｂ、２２ｂに直角に連結した形状を有する。
【００３０】
図２、３において、底板２１ａ、２２ａの端部近傍には、貫通孔２１ｃ、２２ｃが形成されている。垂直板２１ｂ、２２ｂの中央には透し孔２１ｄ、２２ｄが形成され、左右両端近傍には長穴２１ｅ、２２ｅが形成されている。
【００３１】
本実施形態では、長穴２１ｅ、２２ｅは使用せず、透し孔２１ｄ、２２ｄを用いて鳥類営巣防止装置１を構造物に取り付ける。
【００３２】
アングル部材２１，２２は、垂直板２１ｂ、２２ｂを水平方向に向けた状態で、貫通孔２１ｃ、２２ｃに挿通したねじ２５を筐体１１のねじ穴に螺合させて、底板２１ａ、２２ａを筐体１１の背面に取り付けることができる。
【００３３】
鳥類営巣防止装置１は、例えばカラスの営巣を防止したい電柱の上などに設置することができる。鳥類営巣防止装置１を設置する場合、図３に示すように、不図示の電柱から水平に延在する金具（構造物）２６に、アングル部材２１，２２の垂直板２１ｂ、２２ｂを当接させる。この状態を維持しつつ、ボルト２７を下方側から透し孔２１ｄ、２２ｄに挿通し、更に金具２６の孔２６ａを通過させ、その他端にナット２８を螺合させて締結することで、鳥類営巣防止装置１を金具２６に固定することができる。
【００３４】
上部遮蔽板１２、前側遮蔽板１５、左側遮蔽板１７、右側遮蔽板１９は、アルミと発泡性樹脂とを組み合わせたアルミ複合板から形成されており、筐体１１を太陽光から遮蔽することで、その内部が高温となることを抑制する遮熱機能を有する。また、筐体１１と、上部遮蔽板１２、前側遮蔽板１５、左側遮蔽板１７、右側遮蔽板１９との間、及び隣接する遮蔽板同士の間には隙間があるので風通しがよく、筐体１１の加熱を更に抑制できる。
【００３５】
また、上部遮蔽板１２、前側遮蔽板１５、左側遮蔽板１７、右側遮蔽板１９、及びアングル部材２１，２２は、鳥類の嘴などの攻撃から筐体１１を防護する機能も有する。なお、筐体１１の下面が遮蔽板により覆われていないのは、太陽光が届きにくいためであり、また鳥類の攻撃も下面に対しては行われないからである。
【００３６】
筐体１１の気圧変化を解消することを目的として、外部との通気口を設けると好ましいが、雨水の侵入は阻止しなくてはならない。そこで、このような通気口と外部との通気を、筐体１１に設けたねじ穴を利用して行うことができる。例えば筐体１１を外殻と内殻との二重構造とした上で、外殻に設けたねじ穴と、内殻に設けた通気口との距離を４５ｍｍ〜７０ｍｍ程度離すことで、通気性を確保しつつも暴風時に雨水等が筐体１１内に侵入することを抑制できる。
【００３７】
更に図１，３において、筐体１１の下面には円筒部１１ａが形成され、その内側に着色された円形の繊維シート２９が配置され、その下面は防水フィルムで覆われている。繊維シート２９の上方における筐体１１の底壁には、筐体１１の内部に連通する小穴１１ｂが形成されている。小穴１１ｂを筐体１１の通気口と兼用してもよい。
【００３８】
筐体１１内に万が一雨水等が浸み込んだときは、筐体１１内の電子部品を損傷する恐れがある。かかる場合、筐体１１内に浸み込んだ雨水等は、筐体１１の底壁に形成された小穴１１ｂを通して下方に流れ出る。小穴１１ｂの下方に設置された繊維シート２９が雨水等で濡れると、その色が濃くなるので、筐体１１内に雨水等が浸み込んだことが推認できるから、鳥類営巣防止装置１のメンテナンスを行う目安になる。
【００３９】
特に、鳥類営巣防止装置１を電柱などの高い位置に設置した場合に、筐体１１に接近しなくても、その下面に配置された繊維シート２９の変色の有無を、地上にいる検査員が視認より把握できる。円筒部１１ａは、鳥類営巣防止装置１のデザイン性を高めるとともに、外的な力により繊維シート２９が破壊されないよう、保護する機能を有する。
【００４０】
（鳥類営巣防止装置の動作）
鳥類営巣防止装置１は太陽光パネル３又は蓄電池４からの給電で動作するので、電源がない場所でも設置可能である。
スイッチ６のオン操作で、制御部１０が各部の制御を開始する。鳥類営巣防止装置１にカラスＣが接近してくると、赤外線センサ２が検出信号を制御部１０に発信する。これを受信した制御部１０は、内蔵する記憶部から鷹の鳴き声のデータを読み出して、スピーカ９を介して鷹の鳴き声を再生する。
【００４１】
鷹の鳴き声に驚いたカラスＣが、鳥類営巣防止装置１から退散すると、赤外線センサ２が検出信号を発信しなくなるので、制御部１０は、スピーカ９からの鷹の鳴き声の再生を停止させる。これにより必要な時のみスピーカ９の発声がなされるので省エネを図れ、鳥類営巣防止装置１を住宅街に設置しても、その静穏環境を維持できる。
【００４２】
本実施の形態によれば、鷹がカラスＣの天敵であることを利用し、鷹の鳴き声をスピーカ９から流すことでカラスＣを追い払うことができる。カラスＣは本能から鳥類営巣防止装置１の近くにおいて営巣を避けるため、長期間にわたって営巣防止を実現できる。
【００４３】
（変形例）
図５は、鳥類営巣防止装置の変形例にかかる図２と同様な上面図である。本変形例によれば、垂直板２１ｂ、２２ｂが互いに離間し且つ垂直となる状態で、アングル部材２１，２２を、筐体１１の共通するねじ穴に螺合させたねじ２５により、筐体１１に取り付けることができる。
【００４４】
変形例にかかる鳥類営巣防止装置１は、構造物である電柱Ｔにも直に取り付けることができる。具体的には、アングル部材２１、２２の垂直板２１ｂ、２２ｂを離間させた状態で、底板２１ａ、２２ａを相互につき合わせ、貫通孔２１ｃ、２２ｃに挿通したねじ２５を筐体１１のねじ穴に螺合させて、底板２１ａ、２２ａを筐体１１の背面に取り付ける。
【００４５】
更に、電柱Ｔに巻き付けたステンレスベルト３０を、アングル部材２１の長穴２１ｅ及びアングル部材２１の長穴２２ｅに挿通し、その両端を締め付け金具３１により連結する。締め付け金具３１は、付属のハンドルを繰り返し揺動させることで、ステンレスベルト３０の端部が徐々に回転軸に巻き付く構造となっており、所定の張力をステンレスベルト３０に付与することができる。これにより、鳥類営巣防止装置１を電柱Ｔに確実に取り付けることができる。
【００４６】
以上から明らかであるが、共通するアングル部材２１，２２の組み合わせを変えることで、鳥類営巣防止装置１を取り付ける構造物が変わった場合にも、取り付けが可能になる。なお、本変形例を用いれば金具を用いることなく、電柱などにも直接取り付けることができる。
【００４７】
（第２の実施形態）
図６は、第２の実施形態にかかる鳥類営巣防止装置１’の正面図である。本実施形態においては、上述した実施形態に対して、赤外線センサ及び太陽光パネルの支持形態が異なる。それ以外の構成は、上述した実施の形態と同様であるため、同じ符号を付して重複説明を省略する。
【００４８】
本実施形態においては、赤外線センサ２は、ドーム１４に覆われまた円筒状の支持部２ａに支持されている。支持部２ａは、上部遮蔽板１２を貫くチューブ２ｂにより支持されている。チューブ２ｂの下端は、筐体１１の上面に固定されている。チューブ２ｂの内側を、赤外線センサ２からの信号が伝達される配線が通っている。
【００４９】
また太陽光パネル３は、可撓性の支持材３ａにより傾き可能及び捩じり可能に支持されている。支持材３ａとしては、太陽光パネル３の発電により得られた電力を筐体１１に送電する比較的太い銅線を絶縁性チューブで被覆したものを用いるのが好ましいが、それに限られない。
【００５０】
本実施の形態によれば、赤外線センサ２がチューブ２ｂにより上部遮蔽板１２から上方へと突き出している。したがって、例えば鳥類営巣防止装置１’の設置環境で、木の葉Ｌが茂って赤外線センサ２を覆う可能性があるような場合にも、木の葉Ｌより上方へと赤外線センサ２を突出して配置することができ、これによりカラスの検出を精度よく行うことができる。
【００５１】
また、内部が通気路となる中空のチューブ２ｂ内を介して、ドーム１４内と筐体１１内とが連通するので、ドーム１４内の内圧変化を吸収でき、それによりドーム１４内の気圧低下による雨水吸い込み現象を回避できる。図示を省略するが、赤外線センサ２と、その支持リング、赤外線センサ２の脚部と銅線の接続部の空洞、銅線の撚り部分の間隙、撚り線が筐体１１まで続いていることで、通気性が十分に確保されている。同様な通気路は、第１の実施形態においても用いることができる。
【００５２】
更に、本実施の形態によれば、支持材３ａを可撓性の素材から形成したので、鳥類営巣防止装置１’を最適な位置に設定した後、太陽の高度や方位角に合わせて支持材３ａを変形させ、最適な向きに太陽光パネル３のパネル面を向けることができる。これにより太陽光パネル３から高い発電電力が得られる。
【符号の説明】
【００５３】
１、１’    鳥類営巣防止装置
２    赤外線センサ
３    太陽光パネル
４    蓄電池
５    作動ランプ
６    スイッチ
７    ボリューム摘み
８    インタフェース部
９    スピーカ
１０  制御部
１１  筐体
１２  上部遮蔽板
１５  前側遮蔽板
１７  左側遮蔽板
１９  右側遮蔽板
２１，２２  アングル部材
２３，２７、２７Ａ  ボルト
２４，２８，２８Ａ  ナット
２９  繊維シート
【図１】
0003221514.tif 000003
【図２】
0003221514.tif 000004
【図３】
0003221514.tif 000005
【図４】
0003221514.tif 000006
【図５】
0003221514.tif 000007
【図６】
0003221514.tif 000008